(57)【要約】【課題】靴下を重ね履きして靴を履いても足の甲への圧迫が少なくなって心地よい装着感を得ることができ、また、運動等の激しい動きをした場合でも不用意に足から脱落するのを低減することができる足用サポータを提供する。【解決手段】靴下の下に装着される足用サポータに関する。足１０の甲１１から土踏まず１２に至る部位に装着される環状部１の前端部に、足１０の親指１３及び小指１４以外の指１５〜１７を個別に収容するための指収容部２を設ける。環状部１に親指１３の先端から親指１３の付け根近傍１８に至るまで露出させるための親指側開口部３を設けると共に小指１４の先端から小指１４の付け根近傍１９に至るまで露出させるための小指側開口部４を設ける。【選択図】  図１
2004225182.tif 000002
【特許請求の範囲】
【請求項１】
靴下の下に装着される足用サポータであって、足の甲から土踏まずに至る部位に装着される環状部の前端部に、足の親指及び小指以外の指を個別に収容するための指収容部を設け、環状部に親指の先端から親指の付け根近傍に至るまで露出させるための親指側開口部を設けると共に小指の先端から小指の付け根近傍に至るまで露出させるための小指側開口部を設けて成ることを特徴とする足用サポータ。
【請求項２】
指収容部を１〜３個設けて成ることを特徴とする請求項１に記載の足用サポータ。
【請求項３】
指先を露出させるための指先開口部を指収容部に設けて成ることを特徴とする請求項１又は２に記載の足用サポータ。
【請求項４】
環状部を伸縮自在な材料で形成して成ることを特徴とする請求項１乃至３のいずれかに記載の足用サポータ。
【発明の詳細な説明】
【０００１】
【発明の属する技術分野】
本発明は、水虫等の皮膚病の足に好適に用いられる足用サポータに関するものである。
【０００２】
【従来の技術】
水虫は白癬菌という真菌（カビ）が原因で起こる感染症であるが、白癬菌は適度な温度で湿った部位に繁殖しやすく、そのため足の指の付け根の間（趾間）に水虫が発生しやすい。そこで、足の指をそれぞれ個別に収容することによって、足の指間に隙間を開けて指間の通気性を確保し、水虫の予防や軽減を図るようにした足用サポータが提案されている（特許文献１、２参照）。
【０００３】
この足用サポータは、足に装着した後、さらにその上に靴下を重ねて履いて使用されるものである。
【０００４】
【特許文献１】
実開昭６２−１４９３１８号公報（第２頁及び第１図等）
【特許文献２】
特開平１１−１５２６０６号公報（特許請求の範囲及び図面等）
【０００５】
【発明が解決しようとする課題】
しかしながら、特許文献１のものでは親指と小指のみが露出するようにして足に装着されるために、足の内側面及び外側面は足用サポータと靴下とが重なった状態で覆われることになり、この状態で靴を履くと、足の中で最も幅の広い部分である親指の付け根近傍と小指の付け根近傍が側方から圧迫を受けて不快感を生じるという問題があった。また、特許文献２のものでは、足の指のみに装着されるために親指の付け根近傍と小指の付け根近傍が圧迫を受けることはないが、指から抜けやすく、運動等の激しい動きをした場合に不用意に足から脱落する恐れがあった。
【０００６】
本発明は上記の点に鑑みてなされたものであり、靴下を重ね履きして靴を履いても足への圧迫が少なくなって心地よい装着感を得ることができ、また、運動等の激しい動きをした場合でも不用意に足から脱落するのを低減することができる足用サポータを提供することを目的とするものである。
【０００７】
【課題を解決するための手段】
本発明の請求項１に係る足用サポータは、靴下の下に装着される足用サポータであって、足１０の甲１１から土踏まず１２に至る部位に装着される環状部１の前端部に、足１０の親指１３及び小指１４以外の指１５〜１７を個別に収容するための指収容部２を設け、環状部１に親指１３の先端から親指１３の付け根近傍１８に至るまで露出させるための親指側開口部３を設けると共に小指１４の先端から小指１４の付け根近傍１９に至るまで露出させるための小指側開口部４を設けて成ることを特徴とするものであり、環状部１を足１０の甲１１から土踏まず１２に至る部位に装着することによって、環状部１に設けた指収容部２が指１５〜１７から抜けにくくすることができ、運動等の激しい動きをした場合でも不用意に足１０から脱落するのを低減することができるものであり、また、親指１３の先端から親指１３の付け根近傍１８に至るまでを親指側開口部３から環状部１の外側に突出させると共に小指１４の先端から小指１４の付け根近傍１９に至るまでを小指側開口部４から環状部１の外側に突出させるようにして足１０に装着することによって、靴下を重ね履きしても親指１３の付け根近傍１８及び小指１４の付け根近傍１９では靴下と重ならないようにすることができ、靴下を重ね履きして靴を履いても足への圧迫が少なくなり心地よい装着感を得ることができるものである。
【０００８】
また、本発明の請求項２に係る足用サポータは、請求項１に加えて、指収容部２を１〜３個設けて成ることを特徴とするものであり、５本の指１３〜１７の全部を収容する必要がなくなって装着しやすくなり、しかも、５本の指１３〜１７の全部を収容する場合に比べて、指１３〜１７の部分において靴下との重なり部分を少なくすることができ、靴を履いたときに指１３〜１７の圧迫が少なくなって、より心地よい装着感を得ることができるものである。
【０００９】
また、本発明の請求項３に係る足用サポータは、請求項１又は２に加えて、指先を露出させるための指先開口部５を指収容部２に設けて成ることを特徴とするものであり、指収容部２に収容した指１５〜１７の指先を指先開口部５から指収容部２の外側に露出させることができ、指１３〜１７の部分において靴下との重なり部分をさらに少なくすることができ、靴を履いたときに指１３〜１７の圧迫がさらに少なくなって、より心地よい装着感を得ることができるものである。
【００１０】
また、本発明の請求項４に係る足用サポータは、請求項１乃至３のいずれかに加えて、環状部１を伸縮自在な材料で形成して成ることを特徴とするものであり、足１０に装着する際には環状部１の径を広げた状態に伸長することができ、装着しやすくなるものであり、また、足１０に装着した後には環状部１を甲１１及び土踏まず１２に圧接させるように収縮させることができ、環状部１が装着後に位置ずれしにくくなって足１０からの不用意な脱落を少なくすることができると共に足１０にマッサージ効果及び血行運動の促進効果を付与することができるものである。
【００１１】
【発明の実施の形態】
以下、本発明の実施の形態を説明する。
【００１２】
本発明の足用サポータは通気性や吸水性及び伸縮性を有するように、絹や麻や綿などの天然繊維やポリエステルなどの合成繊維を織ったり編んだりすることによって形成されている。また、本発明の足用サポータは前後端が開口する筒状に形成される環状部１と環状部１の前端部に一体に形成した指収容部２とを備えて形成されている。
【００１３】
図２に本発明の足用サポータの一例を示す。この足用サポータは環状部１の後部略半分がほぼ一定の径を有して前後方向にほぼ真っ直ぐ形成されているが、環状部１の前部略半分は前端に向かうほど径が小さくなる絞り部７として形成されている。また、環状部１の後部略半分は伸縮自在な材料を用いて伸縮部６として形成されている。伸縮部６は環状部１の前部略半分の絞り部７よりも径方向の伸縮性が大きく形成されるものであり、このような伸縮部６は、例えば、絞り部７を構成する繊維よりも伸縮性の大きいゴム系繊維等を上記の他の繊維に混ぜた材料を使用することにより形成することができる。
【００１４】
また、図２の足用サポータには、先端が閉塞された筒状に形成される３個の指収容部２が設けられている。各指収容部２はその基部（後端）が絞り部７の前端部に連設されており、このために、各指収容部２の内側空間が環状部１の内側空間と連通するように形成されている。また、３個の指収容部２は環状部１の幅方向とほぼ平行な方向に並べて設けられている。このような指収容部２は足１０の親指１３と小指１４以外の指１５〜１７にそれぞれ対応するように形成されている。すなわち、足１０の人差し指（親指１３の隣の指）１５が収容される人差し指収容部２ａは人差し指１５が収容可能な大きさと位置に形成され、足１０の中指（５本の指のうちの真ん中に位置する指）１６が収容される中指収容部２ｂは中指１６が収容可能な大きさと位置に形成され、足１０の薬指（小指１４の隣の指）１７が収容される薬指収容部２ｃは薬指１７が収容可能な大きさと位置に形成されるものである。
【００１５】
そして、上記環状部１の絞り部７の一方の側面には親指側開口部３が形成されていると共に絞り部７の他方の側面には小指側開口部４が形成されている。すなわち、親指側開口部３は環状部１の一方の側面における前後方向の略中央部から人差し指収容部２ａの基部に至るように形成されており、小指側開口部４は環状部１の他方の側面における前後方向の略中央部から薬指収容部２ｃの基部に至るように形成されている。
【００１６】
上記のように形成される足用サポータを足１０に装着するにあたって、通常の靴下と同様に、環状部１の伸縮部６を広げながら環状部１の後端開口から環状部１の内側空間に足１０を指先側から徐々に挿入していき、この後、環状部１の伸縮部６を足１０の甲１１の後部略半分から土踏まず１２に至る部位を包むように装着し、また、親指１３の先端から親指１３の付け根近傍１８に至るまでの部分を親指側開口部３から環状部１の外側に突出させると共に小指１４の先端から小指１４の付け根近傍１９に至るまでの部位を小指側開口部４から環状部１の外側に突出させ、さらに、人差し指収容部２ａに人差し指１５を、中指収容部２ｂに中指１６を、薬指収容部２ｃに薬指１７をそれぞれ挿着して収容することによって、図１に示すように、本発明の足用サポータを足１０に装着することができるものである。
【００１７】
尚、本発明において、親指１３の付け根近傍１８とは親指１３の付け根（中足骨と基節骨の関節部分）Ａの直ぐ後側（指先と反対側であって、踵側）に位置する部分のことを意味するものであり、また、小指１４の付け根近傍１９とは小指１４の付け根Ｂの直ぐ後側に位置する部分のことを意味するものである。従って、上記のように足１０に足用サポータを装着した場合、人差し指１５と中指１６と薬指１７の直ぐ後側に位置する部分は絞り部７で覆われるものである。
【００１８】
本発明の足用サポータは靴下の下（内側）に履くものである。すなわち、上記のようにして足１０に足用サポータを装着した後、その上から靴下を履くようにするものである。そして、本発明の足用サポータは人差し指１５と中指１６と薬指１７をそれぞれ個別に収容するための人差し指収容部２ａと中指収容部２ｂと薬指収容部２ｃを指収容部２として形成するので、人差し指収容部２ａに人差し指１５を、中指収容部２ｂに中指１６を、薬指収容部２ｃに薬指１７をそれぞれ挿着して収容することによって、５本の指１３〜１７の間（４箇所）に指収容部２を介在させることができ、足１０の指１３〜１７の間に隙間を開けて指１３〜１７の間に汗等が溜まらないように通気性を確保して水虫の予防や軽減を図ることができるものである。
【００１９】
また、本発明では人差し指１５と中指１６と薬指１７のみを指収容部２に収容し、親指１３及び小指１４を指収容部２に収容しないので、５本の指１３〜１７の全部を収容する場合に比べて、指１３〜１７の部分において靴下との重なり部分を少なくすることができ、靴を履いたときに指１３〜１７の圧迫が少なくなり鬱血等がなくなって心地よい装着感を得ることができるものである。
【００２０】
また、環状部１の伸縮部６を足１０の甲１１の後部から土踏まず１２に至る部位に装着することによって、環状部１に一体に設けた指収容部２を環状部１で保持して指１５〜１７から抜けにくくすることができ、運動等の激しい動きをした場合でも不用意に足１０から脱落するのを低減することができるものである。しかも、伸縮部６は伸縮自在に形成されているので、足１０に装着する際には伸縮部６を伸長させて環状部１の径を広げた状態にすることができ、装着しやすくなるものであり、また、足１０に装着した後には伸縮部６が収縮して足１０の甲１１や土踏まず１２に圧接させることができ、環状部１が装着位置からずれにくくなって足１０からの不用意な脱落をさらに少なくすることができるものであり、さらに、伸縮部６が土踏まず１２に圧接することにより、足裏が地面から離れた瞬間に土踏まず１２の筋肉と静脈を早く強く縮めることができ、足１０にマッサージ効果及び血行運動の促進効果を付与することができるものである。
【００２１】
さらに、本発明の足用サポータは、親指１３の付け根近傍１８を親指側開口部３から環状部１の外側に露出させると共に小指１４の付け根近傍１９を小指側開口部４から露出させるようにして足１０に装着することができ、靴下を重ね履きしても、足１０の中で最も幅の広い部分である親指１３の付け根近傍１８及び小指１４の付け根近傍１９では靴下と重ならないようにすることができ、靴下を重ね履きして靴を履いても足１０への圧迫、特に、親指１３の付け根近傍１８及び小指１４の付け根近傍１９への側方からの圧迫が少なくなり心地よい装着感を得ることができるものであり、また、靴のサイズを大きいものに変更する必要もなくなるものである。
【００２２】
尚、本発明の足用サポータは足１０への側方からの圧迫が少なくすることができればよいので、少なくとも、親指１３の付け根近傍１８における足１０の内側面が親指側開口部３から露出するような大きさに親指側開口部３を形成すると共に小指１４の付け根近傍１９における足１０の外側面が小指側開口部４から露出するような大きさに小指側開口部４を形成するものである。もちろん、親指１３の付け根近傍１８の甲１１や足裏面が親指側開口部３から露出するような大きさに親指側開口部３を形成してもよいし、小指１４の付け根近傍１９の甲１１や足裏面が小指側開口部４から露出するような大きさに小指側開口部４を形成してもよく、親指側開口部３や小指側開口部４は環状部１の後端近傍にまで至るような大きさに形成しても良い。
【００２３】
図３には本発明の他例を示す。この足用サポータは中指収容部２ｂを設けていないこと以外は図２に示すものと同様に形成されている。すなわち、上記と同様の環状部１の前端に指収容部２として上記と同様の人差し指収容部２ａと薬指収容部２ｃが形成されていると共に人差し指収容部２ａと薬指収容部２ｃの間において環状部１の絞り部７の前端部に中指１６を環状部１から突出させて露出させるための中指開口部８が形成されている。このような足用サポータは図２に示すものと同様に足１０に装着されるが、中指１６は中指開口部８から環状部１の外側に突出させて露出させるものである。
【００２４】
図４には本発明の他例を示す。この足用サポータは中指収容部２ｂと薬指収容部２ｃを設けていないこと以外は図２に示すものと同様に形成されている。すなわち、上記と同様の環状部１の前端部に指収容部２として上記と同様の人差し指収容部２ａが形成されていると共に小指側開口部４が環状部１の側面においてその前後方向の略中央部から人差し指収容部２ａの基部に至るように形成されているものである。このような足用サポータは図２に示すものと同様に足１０に装着されるが、中指１６及び薬指１７は中指収容部２ｂと薬指収容部２ｃが無いために、小指側開口部４から環状部１の外側に突出させて露出させるものである。
【００２５】
図５には本発明の他例を示す。この足用サポータは人差し指収容部２ａと薬指収容部２ｃを設けていないこと以外は図２に示すものと同様に形成されている。すなわち、上記と同様の環状部１の前端部に指収容部２として上記と同様の中指収容部２ｂが形成され、且つ親指側開口部３が環状部１の一方の側面においてその前後方向の略中央部から中指収容部２ｂの基部に至るように形成されていると共に小指側開口部４が環状部１の他方の側面においてその前後方向の略中央部から中指収容部２ｂの基部に至るように形成されているものである。このような足用サポータは図２に示すものと同様に足１０に装着されるが、人差し指１５及び薬指１７は人差し指収容部２ａと薬指収容部２ｃが無いために、人差し指１５は親指側開口部３から環状部１の外側に突出させて露出させるものであり、また、薬指１７は小指側開口部４から環状部１の外側に突出させて露出させるものである。
【００２６】
図６には本発明の他例を示す。この足用サポータは人差し指収容部２ａと中指収容部２ｂを設けていないこと以外は図２に示すものと同様に形成されている。すなわち、上記と同様の環状部１の前端部に指収容部２として上記と同様の薬指収容部２ｃが形成されていると共に親指側開口部３が環状部１の側面においてその前後方向の略中央部から薬指収容部２ｃの基部に至るように形成されているものである。このような足用サポータは図２に示すものと同様に足１０に装着されるが、人差し指１５及び中指１６は人差し指収容部２ａと中指収容部２ｂが無いために、親指側開口部３から環状部１の外側に突出させて露出させるものである。
【００２７】
図７には本発明の他例を示す。この足用サポータは各指収容部２の先端を閉塞せずに指先開口部５として開放したものであり、その他の構成は図２に示すものと同様に形成されている。このような足用サポータは図２に示すものと同様に足１０に装着されるが、各指収容部２の先端には指先開口部５が形成されているために、図８に示すように、人差し指１５の指先と中指１６の指先と薬指１７の指先は指先開口部５から指収容部２の外側に突出させて露出させることができるものである。従って、靴下との重なり部分をさらに少なくすることができ、靴を履いたときに指１３〜１７の圧迫がさらに少なくなって、より心地よい装着感を得ることができるものであり、また、人差し指１５と中指１６と薬指１７の各指先における通気性を向上させることができ、指先における水虫の予防や軽減を図ることができるものである。
【００２８】
図９には本発明の他例を示す。この足用サポータは人差し指収容部２ａと薬指収容部２ｃの先端を閉塞せずに指先開口部５として開放したものであり、その他の構成は図３に示すものと同様に形成されている。このような足用サポータは図３に示すものと同様に足１０に装着されるが、人差し指収容部２ａと薬指収容部２ｃの先端には指先開口部５が形成されているために、人差し指１５の指先と薬指１７の指先は指先開口部５から人差し指収容部２ａと薬指収容部２ｃの外側に突出させて露出させることができるものである。
【００２９】
図１０には本発明の他例を示す。この足用サポータは人差し指収容部２ａの先端を閉塞せずに指先開口部５として開放したものであり、その他の構成は図４に示すものと同様に形成されている。このような足用サポータは図４に示すものと同様に足１０に装着されるが、人差し指収容部２ａの先端には指先開口部５が形成されているために、人差し指１５の指先は指先開口部５から人差し指収容部２ａの外側に突出させて露出させることができるものである。
【００３０】
図１１には本発明の他例を示す。この足用サポータは中指収容部２ｂの先端を閉塞せずに指先開口部５として開放したものであり、その他の構成は図５に示すものと同様に形成されている。このような足用サポータは図５に示すものと同様に足１０に装着されるが、中指収容部２ｂの先端には指先開口部５が形成されているために、中指１６の指先は指先開口部５から中指収容部２ｂの外側に突出させて露出させることができるものである。
【００３１】
図１２には本発明の他例を示す。この足用サポータは薬指収容部２ｃの先端を閉塞せずに指先開口部５として開放したものであり、その他の構成は図６に示すものと同様に形成されている。このような足用サポータは図６に示すものと同様に足１０に装着されるが、薬指収容部２ｃの先端には指先開口部５が形成されているために、薬指１７の指先は指先開口部５から薬指収容部２ｃの外側に突出させて露出させることができるものである。
【００３２】
尚、上記では環状部１の前部略半分を前端に向かうほど径が小さくなる絞り部７として形成した例を示したが、これに限らず、図１３に示すように、環状部１の前部略半分をほぼ一定の径を有して前後方向にほぼ真っ直ぐ形成してもよい。また、上記では環状部１は甲１１及び土踏まず１２の部分を包むように形成されているが、これに限らず、環状部１の後端を延長して踵や足首や膝等の部分まで環状部１を装着するようにしても良い。さらに、本発明の足用サポータは足１０又は手の指の包帯としても使用することができるものである。
【００３３】
【発明の効果】
上記のように本発明の請求項１の発明は、足の甲から土踏まずに至る部位に装着される環状部の前端部に、足の親指及び小指以外の指を個別に収容するための指収容部を設け、環状部に親指の先端から親指の付け根近傍に至るまで露出させるための親指側開口部を設けると共に小指の先端から小指の付け根近傍に至るまで露出させるための小指側開口部を設けるので、環状部を足の甲から土踏まずに至る部位に装着することによって、環状部に設けた指収容部が指から抜けにくくすることができ、運動等の激しい動きをした場合でも不用意に足から脱落するのを低減することができるものであり、また、親指の先端から親指の付け根近傍に至るまでを親指側開口部から環状部の外側に突出させると共に小指の先端から小指の付け根近傍に至るまでを小指側開口部から環状部の外側に突出させるようにして足に装着することによって、靴下を重ね履きしても親指の付け根近傍及び小指の付け根近傍では靴下と重ならないようにすることができ、靴下を重ね履きして靴を履いても足への圧迫が少なくなり心地よい装着感を得ることができるものである。
【００３４】
また、本発明の請求項２の発明は、指収容部を１〜３個設けるので、５本の指の全部を収容する必要がなくなって装着しやすくなり、しかも、５本の指の全部を収容する場合に比べて、指の部分において靴下との重なり部分を少なくすることができ、靴を履いたときに指の圧迫が少なくなって、より心地よい装着感を得ることができるものである。
【００３５】
また、本発明の請求項３の発明は、指先を露出させるための指先開口部を指収容部に設けるので、指収容部に収容した指の指先を指先開口部から指収容部の外側に露出させることができ、靴下との重なり部分をさらに少なくすることができ、靴を履いたときに指の圧迫がさらに少なくなって、より心地よい装着感を得ることができるものである。
【００３６】
また、本発明の請求項４の発明は、環状部を伸縮自在な材料で形成するので、足に装着する際には環状部の径を広げた状態に伸長することができ、装着しやすくなるものであり、また、足に装着した後には環状部を甲及び土踏まずに圧接させるように収縮させることができ、環状部が装着後に位置ずれしにくくなって足からの不用意な脱落を少なくすることができると共に足にマッサージ効果及び血行運動の促進効果を付与することができるものである。
【図面の簡単な説明】
【図１】本発明の実施の形態の一例の使用状態を示す斜視図である。
【図２】同上の（ａ）（ｂ）は斜視図、（ｃ）は正面図、（ｄ）は断面図である。
【図３】同上の他の実施の形態の一例を示す斜視図である。
【図４】同上の他の実施の形態の一例を示す斜視図である。
【図５】同上の他の実施の形態の一例を示す斜視図である。
【図６】同上の他の実施の形態の一例を示す斜視図である。
【図７】同上の他の実施の形態の一例を示す斜視図である。
【図８】同上の使用状態を示す斜視図である。
【図９】同上の他の実施の形態の一例を示す斜視図である。
【図１０】同上の他の実施の形態の一例を示す斜視図である。
【図１１】同上の他の実施の形態の一例を示す斜視図である。
【図１２】同上の他の実施の形態の一例を示す斜視図である。
【図１３】同上の他の実施の形態の一例を示し、（ａ）（ｂ）は斜視図である。
【符号の説明】
１  環状部
２  指収容部
３  親指側開口部
４  小指側開口部
５  指先開口部
１０  足
１１  甲
１２  土踏まず
１３  親指
１４  小指
１５  人差し指
１６  中指
１７  薬指
１８  付け根近傍
１９  付け根近傍
【図１】
2004225182.tif 000003
【図２】
2004225182.tif 000004
【図３】
2004225182.tif 000005
【図４】
2004225182.tif 000006
【図５】
2004225182.tif 000007
【図６】
2004225182.tif 000008
【図７】
2004225182.tif 000009
【図８】
2004225182.tif 000010
【図９】
2004225182.tif 000011
【図１０】
2004225182.tif 000012
【図１１】
2004225182.tif 000013
【図１２】
2004225182.tif 000014
【図１３】
2004225182.tif 000015